(57)【特許請求の範囲】
【請求項１】
先端部にスプロケットが配置され、周囲に設けられたガイド溝によりソーチェーンがガイドされるチェーンソーの案内板において、
該案内板は、一対の外板と、該両外板の間に挟着された内板とを備え、
該スプロケットは、該両外板の間にリベットにより固着されるインナープレートと、該インナープレートの外周に配置されたベアリングにより回転可能に軸支され、
該両外板及び該インナープレートの少なくとも一方のリベット孔には、周部に複数の凹部が設けられていることを特徴とするチェーンソーの案内板。
【請求項２】
前記凹部の径方向の最大長さは、前記リベット孔の半径の２％から２０％であることを特徴とする請求項１記載のチェーンソーの案内板。
【請求項３】
前記凹部には、複数の角部が設けられていることを特徴とする請求項１又は２記載のチェーンソーの案内板。
【請求項４】
先端部にスプロケットが配置され、周囲に設けられたガイド溝によりソーチェーンがガイドされるチェーンソーの案内板において、
該案内板は、一対の外板と、該両外板の間に挟着された内板とを備え、
該スプロケットは、該両外板の間にリベットにより固着されるインナープレートと、該インナープレートの外周に配置されたベアリングにより回転可能に軸支され、
該両外板及び該インナープレートの少なくとも一方のリベット孔は、楕円形状をなしていることを特徴とするチェーンソーの案内板。
【請求項５】
前記リベット孔の短径に対する長径の比の値が１．０２から１．２０であることを特徴とする請求項４記載のチェーンソーの案内板。
【発明の詳細な説明】
【技術分野】
【０００１】
本発明は、先端部にスプロケットが配置され、周囲に設けられたガイド溝によりソーチェーンがガイドされるチェーンソーの案内板に関する。
【背景技術】
【０００２】
従来、特許文献１記載のチェーンソーの案内板が知られている。このチェーンソーの案内板は、スプロケット（方向転換スプロケット１５）は、外板（側板１４ａ，１４ｂ）の間にリベットにより固着されるインナープレート（被覆円板１６，１７）と、インナープレート（被覆円板１６，１７）の外周に配置されたベアリング（ローラ１８）により回転可能に軸支される。このチェーンソーの案内板では、インナープレート（被覆円板１６，１７）が複数のリベットにより案内板の外板（側板１４ａ，１４ｂ）に固着されているため、インナープレート（被覆円板１６，１７）の回転は発生しなかった。しかし、近年においては、キックバックを減少させて安全性を確保すべく、スプロケットの歯数を減少させ、案内板先端部の半円板状部の直径を小さくする傾向にある。このため、特許文献２記載のチェーンソーの案内板のように、スプロケット（スプロケットホイール１９）が１本のリベット（支持軸１８）により案内板の外板に固着されているものが主流となっている。このような案内板として、インナープレートが１本のリベットにより外板に固着されものも考えられる。
【先行技術文献】
【特許文献】
【０００３】
【特許文献１】特開平６−５５５０３号公報
【特許文献２】特開２００７−６２２０４号公報
【発明の概要】
【発明が解決しようとする課題】
【０００４】
しかし、上記のチェーンソーの案内板のように、スプロケットが１本のリベットにより案内板の外板に固着されているものでは、長期間の使用によりスプロケットの摩耗や破損が起こり得る虞がある。すなわち、このような案内板を使用したチェーンソーをエンジン等の動力により駆動すると、ソーチェーンによってスプロケットが高速で回転させられる。そのため、インナープレート、及びリベットには、ベアリングを介して微振動の負荷が加わる。そして、チェーンソーによって木材を切断する際には、さらに大きな負荷がインナープレート、及びリベットに加わることになる。
【０００５】
ここで、外板やインナープレートの硬度に比べリベットの硬度は低いため、長期間に亘って大きな負荷を受けると、リベットが摩耗する虞がある。そして、リベットが摩耗して径が小さくなると、リベットとインナープレートとの固着が外れ、ソーチェーンの走行に伴ってインナープレートが回転してスプロケットの回転軸がずれる。そして、インナープレートが回転し始めると、リベットの摩耗が更に進行するとともにインナープレートの回転軸も更にずれ、スプロケットの円滑な回転が阻害されチェーンソーの機能が低下する。このような状態でチェーンソーの使用を継続すると、スプロケットの破損の原因になる。また、リベットの摩耗に伴い、リベットと外板との固着が外れてリベットが外板に対し回転した場合においても、上記と同様の事態が起こる。
【０００６】
本発明はかかる従来の問題点に鑑みてなされたものであり、長期に亘り機能を維持することのできるチェーンソーの案内板を提供するものである。
【課題を解決するための手段】
【０００７】
上記の課題を解決するために、請求項１に係るチェーンソーの案内板の特徴は、先端部にスプロケットが配置され、周囲に設けられたガイド溝によりソーチェーンがガイドされるチェーンソーの案内板において、該案内板は、一対の外板と、該両外板の間に挟着された内板とを備え、該スプロケットは、該両外板の間にリベットにより固着されるインナープレートと、該インナープレートの外周に配置されたベアリングにより回転可能に軸支され、該両外板及び該インナープレートの少なくとも一方のリベット孔には、周部に複数の凹部が設けられていることである。
【０００８】
請求項２に係るチェーンソーの案内板の特徴は、前記凹部の径方向の最大長さは、前記リベット孔の半径の２％から２０％であることである。
【０００９】
請求項３に係るチェーンソーの案内板の特徴は、前記凹部には、複数の角部が設けられていることである。
【００１０】
請求項４に係るチェーンソーの案内板の特徴は、先端部にスプロケットが配置され、周囲に設けられたガイド溝によりソーチェーンがガイドされるチェーンソーの案内板において、該案内板は、一対の外板と、該両外板の間に挟着された内板とを備え、該スプロケットは、該両外板の間にリベットにより固着されるインナープレートと、該インナープレートの外周に配置されたベアリングにより回転可能に軸支され、該両外板及び該インナープレートの少なくとも一方のリベット孔は、楕円形状をなしていることである。
【００１１】
請求項５に係るチェーンソーの案内板の特徴は、前記リベット孔の短径に対する長径の比の値が１．０２から１．２０であることである。
【発明の効果】
【００１２】
請求項１に係るチェーンソーの案内板においては、両外板及びインナープレートの少なくとも一方のリベット孔には、周部に複数の凹部が設けられている。そのため、リベット孔に挿入されたリベットをプレスで押し潰すと、凹部にまでリベットが入り込む。これにより、チェーンソーの長期使用によりリベットが多少摩耗したとしても、凹部に入り込んだリベットによりインナープレートは回転し難くなる。すなわち、インナープレートのリベット孔に凹部が設けられている場合、その凹部に入り込んだリベットにより、リベットとインナープレートとの固着が外れ難くなり、インナープレートは回転し難くなる。また、両外板のリベット孔に凹部が設けられている場合、その凹部に入り込んだリベットによりリベットと外板との固着が外れ難くなるため、リベットが外板に対し回転し難くなり、結果としてインナープレートは回転し難くなる。さらに、インナープレート及び両外板のリベット孔に凹部が設けられている場合、上記の両方の効果が得られる。したがって、このチェーンソーの案内板によれば、長期に亘りその機能を維持することができる。
【００１３】
請求項２に係るチェーンソーの案内板においては、凹部の径方向の最大長さがリベット孔の半径の２％から２０％であるため、より長期に亘りその機能を維持することができる。なお、凹部の径方向の最大長さがリベット孔の半径の２％未満である場合は、凹部に入り込むリベットが少な過ぎて、上記効果を十分に得ることができない。また、凹部の径方向の最大長さがリベット孔の半径の２０％より大きい場合は、凹部にリベットが満たされない部分が生じることがあり、この場合も上記効果を十分に得ることができない。
【００１４】
請求項３に係るチェーンソーの案内板においては、凹部に複数の角部が設けられている。そのため、リベットが多少摩耗したとしても、角部に入り込んだリベットによりインナープレートはより回転し難くなる。すなわち、インナープレートのリベット孔の凹部に複数の角部が設けられている場合、その角部に入り込んだリベットにより、リベットとインナープレートとの固着がより外れ難くなり、インナープレートはより回転し難くなる。また、両外板のリベット孔の凹部に複数の角部が設けられている場合、その角部に入り込んだリベットによりリベットと外板との固着がより外れ難くなるため、リベットが外板に対しより回転し難くなり、結果としてインナープレートはより回転し難くなる。さらに、インナープレート及び両外板のリベット孔の凹部に複数の角部が設けられている場合、上記の両方の効果が得られる。なお、本明細書における「角部」とは、凹部の外形を構成する直線及び曲線について、直線同士が交差する部分、曲線同士が交差する部分、及び直線と曲線とが交差する部分をいう。また、角部にＲ形状、Ｃ形状が施されているものも含まれる。
【００１５】
請求項４に係るチェーンソーの案内板においては、両外板及びインナープレートの少なくとも一方のリベット孔が楕円形状をしている。そのため、リベット孔に挿入されたリベットをプレスで押し潰すと、リベットの断面は真円形状から楕円形状となる。これにより、チェーンソーの長期使用によりリベットが多少摩耗したとしても、インナープレートは回転し難くなる。すなわち、インナープレートのリベット孔が楕円形状をしている場合、インナープレートのリベット孔の長径方向について、短径の半径を有する真円より外側の部分に入り込んだリベットにより、リベットとインナープレートとの固着が外れ難くなり、インナープレートは回転し難くなる。また、両外板のリベット孔が楕円形状をしている場合、両外板のリベット孔の長径方向について、短径の半径を有する真円より外側の部分に入り込んだリベットにより、リベットと外板との固着が外れ難くなるため、リベットが外板に対し回転し難くなり、結果としてインナープレートは回転し難くなる。さらに、インナープレート及び両外板のリベット孔が楕円形状をしている場合、上記の両方の効果が得られる。したがって、このチェーンソーの案内板によれば、長期に亘りその機能を維持することができる。
【００１６】
請求項５に係るチェーンソーの案内板においては、リベット孔の短径に対する長径の比の値が１．０２から１．２０であるため、より長期に亘りその機能を維持することができる。なお、リベット孔の短径に対する長径の比の値が１．０２未満である場合は、リベット孔の長径方向について、短径の半径を有する真円より外側の部分に入り込むリベットが少な過ぎて、上記効果を十分に得ることができない。また、リベット孔の短径に対する長径の比の値が１．２０より大きい場合は、リベット孔の長径方向について、短径の半径を有する真円より外側の部分にリベットが満たされない部分が生じることがあり、この場合も上記効果を十分に得ることができない。
【図面の簡単な説明】
【００１７】
【図１】実施形態１〜３のチェーンソーの案内板の分解斜視図。
【図２】実施形態１〜３のチェーンソーの案内板の組付け拡大図。
【図３】実施形態１のチェーンソーの案内板に係り、案内板のリベット孔及びリベットの拡大図。
【図４】実施形態１のチェーンソーの案内板に係り、インナープレートのリベット孔及びリベットの拡大図。
【図５】実施形態２のチェーンソーの案内板に係り、案内板のリベット孔及びリベットの拡大図。
【図６】実施形態２のチェーンソーの案内板に係り、インナープレートのリベット孔及びリベットの拡大図。
【図７】実施形態３のチェーンソーの案内板に係り、案内板のリベット孔及びリベットの拡大図。
【図８】実施形態３のチェーンソーの案内板に係り、インナープレートのリベット孔及びリベットの拡大図。
【発明を実施するための形態】
【００１８】
本発明に係るチェーンソーの案内板を具体化した実施形態１〜３を図面に基づいて以下に説明する。まず、実施形態１のチェーンソーの案内板について説明する。図１は、チェーンソーの案内板の分解斜視図である。また、図２は、チェーンソーの案内板の組付け図の先端部の拡大図である。ただし、図２においては、手前の外板１の記載が省略されている。図１及び図２に示すように、このチェーンソーの案内板は、一対の外板１と、両外板１の間に挟着される内板２とを備えている。
【００１９】
外板１は略長楕円形状をなす鋼板で、先端部にリベット孔１１が開けられている。内板２も同様に略長楕円形状をなす鋼板で、外板１よりも外形が少し小さくなっている。そして、両外板１と内板２とは接合され一体化されている。両外板１と内板２との外形差によりガイド溝１ａが形成され、このガイド溝１ａによりソーチェーン（図示なし）がガイドされる。また、内板２の先端部は円弧状に欠けており、両外板１と内板２とが接合されてできる間隙２ａにインナープレート３、ベアリング４、スプロケット５が介装される。
【００２０】
インナープレート３は円盤状をなし、中央にリベット孔２１が開けられている。このインナープレート３は、リベット６により両外板１の間に固着される。また、インナープレート３にはベアリング４が装着され、ベアリング４にはスプロケット５が装着される。こうして、スプロケット５は、インナープレート３により回転可能に軸支される。このスプロケット５は円盤状をなし、外周にソーチェーンが掛装される歯５ａが形成されている。
【００２１】
図３は、外板１の先端部に開けられたリベット孔１１及びリベット６の拡大図である。図３に示すように、半径ｒ１のリベット孔１１の周部には、円弧状の外形を有する凹部１１ａが２個設けられている。この凹部１１ａの径方向の最大長さＬ１は、リベット孔１１の半径ｒ１の２％〜２０％の長さであることが好ましい。そして、リベット孔１１には、プレスにより押し潰されたリベット６が隙間なく圧入されている。なお、通常のリベット孔を点線で示す。
【００２２】
図４は、インナープレート３のリベット孔２１及びリベット６の拡大図である。図４に示すように、半径ｒ１のリベット孔２１の周部には、円弧状の外形を有する凹部２１ａが２個設けられている。この凹部２１ａの径方向の最大長さＬ１は、リベット孔２１の半径ｒ１の２％〜２０％の長さであることが好ましい。そして、リベット孔２１には、プレスにより押し潰されたリベット６が隙間なく圧入されている。なお、通常のリベット孔を点線で示す。
【００２３】
実施形態１のチェーンソーの案内板では、両外板１及びインナープレート３のリベット孔１１、２１の周部に各々２個の凹部１１ａ、２１ａが設けられている。そのため、リベット孔１１、２１に挿入されたリベット６をプレスで押し潰すと、凹部１１ａ、２１ａにまでリベット６が入り込む。これにより、チェーンソーの長期使用によりリベット６が多少摩耗したとしても、凹部１１ａ、２１ａに入り込んだリベット６によりインナープレート３は回転し難くなる。すなわち、インナープレート３のリベット孔２１の凹部２１ａに入り込んだリベット６により、リベット６とインナープレート３との固着が外れ難くなり、インナープレート３は回転し難くなる。また、両外板１のリベット孔１１の凹部１１ａに入り込んだリベット６によりリベット６と外板１との固着が外れ難くなるため、リベット６が外板１に対し回転し難くなり、結果としてインナープレート３は回転し難くなる。したがって、このチェーンソーの案内板によれば、長期に亘りその機能を維持することができる。さらに、凹部１１ａ、２１ａの径方向の最大長さＬ１がリベット孔１１、２１の半径ｒ１の２％〜２０％の長さであれば、より長期に亘りチェーンソーの案内板の機能を維持することができる。
【００２４】
また、本実施形態においては、両外板１及びインナープレート３のリベット孔１１、２１の周部に各々凹部１１ａ、２１ａを設けたが、両外板１又はインナープレート３のいずれか一方のリベット孔１１、２１の周部にのみ凹部１１ａ、２１ａを設けてもよい。さらに、リベット孔１１、２１の周部に各々凹部１１ａ、２１ａを２個設けたが、３個以上の凹部１１ａ、２１ａを設けてもよい。
【００２５】
実施形態２のチェーンソーの案内板の全体構成は、実施形態１と同様、図１及び図２に示すものと同じであり、その説明を省略する。図５は、外板１の先端部に開けられたリベット孔１２及びリベット６の拡大図である。図５に示すように、半径ｒ１のリベット孔１２の周部には、径方向の最大長さＬ１の凹部１２ａが４個設けられている。この凹部１２ａは、円弧形状をした底辺１２ｂと直線形状をした２つの側辺１２ｃとを有している。そして、底辺１２ｂと側辺１２ｃとの交差する部分が角部１２ｄである。また、最大長さＬ１は、リベット孔１２の半径ｒ１の２％〜２０％の長さであることが好ましい。そして、プレスにより押し潰されたリベット６が角部１２ｄまで隙間なく圧入されている。なお、通常のリベット孔を点線で示す。
【００２６】
図６は、インナープレート３のリベット孔２２及びリベット６の拡大図である。図６に示すように、半径ｒ１のリベット孔２２の周部には、径方向の最大長さＬ１の凹部２２ａが４個設けられている。この凹部２２ａは、円弧形状をした底辺２２ｂと直線形状をした２つの側辺２２ｃとを有している。そして、底辺２２ｂと側辺２２ｃとの交差する部分が角部２２ｄである。また、最大長さＬ１は、リベット孔２２の半径ｒ１の２％〜２０％の長さであることが好ましい。そして、プレスにより押し潰されたリベット６が角部２２ｄまで隙間なく圧入されている。なお、通常のリベット孔を点線で示す。
【００２７】
実施形態２のチェーンソーの案内板では、両外板１及びインナープレート３のリベット孔１２、２２の周部に各々４個の凹部１２ａ、２２ａが設けられている。
また、凹部１２ａ、２２ａの径方向の最大長さＬ１がリベット孔１２、２２の半径ｒ１の２％〜２０％の長さであることが好ましい。さらに、凹部１２ａ、２２ａには、角部１２ｄ、２２ｄが形成されている。そのため、リベット孔１２、２２に挿入されたリベット６をプレスで押し潰すと、角部１２ｄ、２２ｄにまでリベット６が入り込む。これにより、チェーンソーの長期使用によりリベット６が多少摩耗したとしても、角部１２ｄ、２２ｄに入り込んだリベット６によりインナープレート３はさらに回転し難くなる。すなわち、インナープレート３のリベット孔２２の凹部２２ａに設けられた角部２２ｄに入り込んだリベット６により、リベット６とインナープレート３との固着がより外れ難くなり、インナープレート３はより回転し難くなる。また、両外板１のリベット孔１２の凹部１２ａに設けられた角部１２ｄに入り込んだリベット６によりリベット６と外板１との固着がより外れ難くなるため、リベット６が外板１に対しより回転し難くなり、結果としてインナープレート３はより回転し難くなる。したがって、このチェーンソーの案内板によれば、長期に亘りその機能を維持することができる。その他の効果は実施形態１と同様である。
【００２８】
また、本実施形態においても、実施形態１同様、両外板１又はインナープレート３のいずれか一方のリベット孔１２、２２の周部にのみ凹部１２ａ、２２ａを設けてもよい。さらに、リベット孔１２、２２の周部に各々凹部１２ａ、２ａを４個設けたが、必ずしもこの数に限定されず、例えば２個の凹部１２ａ、２２ａを設けてもよい。
【００２９】
実施形態３のチェーンソーの案内板の全体構成も、実施形態１と同様、図１及び図２に示すものと同じであり、その説明を省略する。図７は、外板１の先端部に開けられたリベット孔１３及びリベット６の拡大図である。図７に示すように、リベット孔１３は短径ｒ１、長径ｒ２の楕円形状をなしている。また、短径ｒ１に対する長径ｒ２の比の値が１．０２〜１．２０であることが好ましい。そして、リベット孔１３には、プレスにより押し潰されたリベット６が隙間なく圧入されている。なお、通常のリベット孔を点線で示す。また、短径ｒ１は、通常のリベット孔の半径ｒ１と同じである。
【００３０】
図８は、インナープレート３のリベット孔２３及びリベット６の拡大図である。図８に示すように、リベット孔２３は短径ｒ１、長径ｒ２の楕円形状をなしている。また、短径ｒ１に対する長径ｒ２の比の値が１．０２〜１．２０であることが好ましい。そして、リベット孔２３には、プレスにより押し潰されたリベット６が隙間なく圧入されている。なお、通常のリベット孔を点線で示す。
【００３１】
実施形態３のチェーンソーの案内板では、両外板１及びインナープレート３のリベット孔１３、２３は短径ｒ１、長径ｒ２の楕円形状をなしている。そして、リベット孔１３、２３に挿入されたリベット６をプレスで押し潰すと、リベット孔１３、２３の隅々にまでリベット６が入り込む。これにより、チェーンソーの長期使用によりリベット６が多少摩耗したとしても、インナープレート３は回転し難くなる。すなわち、インナープレート３のリベット孔２３の長径ｒ２方向について、短径ｒ１の真円より外側の部分に入り込んだリベット６により、リベット６とインナープレート３との固着が外れ難くなり、インナープレート３は回転し難くなる。また、両外板１のリベット孔１３の長径ｒ２方向について、短径ｒ１の真円より外側の部分に入り込んだリベット６により、リベット６と外板１との固着が外れ難くなるため、リベット６が外板１に対し回転し難くなり、結果としてインナープレート３は回転し難くなる。したがって、このチェーンソーの案内板によれば、長期に亘りその機能を維持することができる。さらに、短径ｒ１に対する長径ｒ２の比の値が１．０２〜１．２０であれば、より長期に亘りチェーンソーの案内板の機能を維持することができる。また、本実施形態においては、両外板１及びインナープレート３の両方のリベット孔１３、２３を楕円形状としたが、両外板１又はインナープレート３のいずれか一方のリベット孔１３、２３のみ楕円形状としてもよい。
【００３２】
以上、本発明のチェーンソーの案内板を実施形態１〜３に即して説明したが、本発明はこれらに制限されるものではなく、本発明の技術的思想に反しない限り、適宜変更して適用できることはいうまでもない。
【符号の説明】
【００３３】
１…外板、１ａ…ガイド溝、２…内板、３…インナープレート、４…ベアリング、５…スプロケット、６…リベット、１１，１２，１３，２１，２２，２３…リベット孔、１１ａ，１２ａ，２１ａ，２２ａ…凹部、１２ｄ，２２ｄ…角部、Ｌ１…最大長さ、ｒ１…半径（短径）、ｒ２…長径。
【図１】
0005515187.tif 000002
【図２】
0005515187.tif 000003
【図３】
0005515187.tif 000004
【図４】
0005515187.tif 000005
【図５】
0005515187.tif 000006
【図６】
0005515187.tif 000007
【図７】
0005515187.tif 000008
【図８】
0005515187.tif 000009